(57)【要約】  コネクタ本体を有する同軸コネクタにはコネクタ本体穴が設けられる。コネクタ本体穴内にはグリップリングが保持され、グリップリングの外径が環状の楔状面と当接し、楔状面は、コネクタ端の方に近い最大直径とケーブル端の方に近い最小直径との間にテーパを備える。楔状面は、コネクタ本体穴の側壁に直接に設けられていてもよく、あるいは、コネクタ本体のケーブル端に結合されるクランプリングの内径に設けられてもよい。グリップリングの内径には把持面が設けられる。コネクタ本体穴内にはスプリング接点が保持される。把持面およびスプリング接点の内径は、ケーブル端から外側導体を挿通して受けて外側導体の外径と結合するように寸法付けられる。
2012508431.tif 000002
【特許請求の範囲】
【請求項１】
コネクタ端と、中実の外側導体を有する同軸ケーブルと結合するためのケーブル端とを有する同軸コネクタであって、
コネクタ本体穴が設けられるコネクタ本体を備え、
コネクタ本体穴内に保持されるグリップリングを備え、該グリップリングの外径が環状の楔状面と当接し、楔状面は、コネクタ端の方に近い最大直径とケーブル端の方に近い最小直径との間にテーパを備え、
グリップリングの内径が把持面を備え、
コネクタ本体穴内に保持されるスプリング接点を備え、
把持面とスプリング接点の内径は、ケーブル端から外側導体を挿通して受けて外側導体の外径と結合するように寸法付けられる、同軸コネクタ。
【請求項２】
把持面が複数の突起を備える、請求項１に記載のコネクタ。
【請求項３】
グリップリングの外径表面の角度が楔状面のテーパと平行である、請求項１に記載のコネクタ。
【請求項４】
コネクタ本体穴のケーブル端にジャケットグリップを更に含み、ジャケットグリップは、同軸ケーブルのジャケットと係合し、それにより、コネクタ本体を同軸ケーブルに保持する、請求項１に記載のコネクタ。
【請求項５】
ジャケットグリップが螺旋溝である、請求項４に記載のコネクタ。
【請求項６】
楔状面がコネクタ本体穴の側壁に形成される、請求項１に記載のコネクタ。
【請求項７】
グリップリングのコネクタ端に当接する外側導体シールを更に含み、外側導体シールは、コネクタ本体と外側導体の外径との間をシールするように寸法付けられる、請求項６に記載のコネクタ。
【請求項８】
コネクタ本体のケーブル端に結合されるクランプリングを更に含み、
楔状面は、クランプリングのコネクタ端に近いクランプリングの内径に形成される、請求項１に記載のコネクタ。
【請求項９】
スプリング接点とグリップリングとの間に環状スペーサを更に含む、請求項８に記載のコネクタ。
【請求項１０】
クランプリングは、コネクタ本体穴の側壁に設けられる環状スナップ溝とクランプリングの外径上の対応するスナップ突起とによってコネクタ本体のケーブル端に結合される、請求項８に記載のコネクタ。
【請求項１１】
コネクタ本体の側壁とクランプリングの外径との間にネジ山を更に含み、ネジ山は、楔状面をスプリング接点へ向けて推し進めるようになっている、請求項８に記載のコネクタ。
【請求項１２】
クランプリングの内径から内側に突出してケーブル端へ向けて曲げられる付勢タブを更に含む、請求項８に記載のコネクタ。
【請求項１３】
付勢タブは、クランプリングの内径の周囲に円弧部分として設けられる複数の付勢タブである、請求項１２に記載のコネクタ。
【請求項１４】
付勢タブがコネクタ端へ向けて変形できる、請求項１２に記載のコネクタ。
【請求項１５】
スプリング接点が螺旋状のコイルスプリングである、請求項１に記載のコネクタ。
【請求項１６】
スプリング接点は、少なくとも１つの内側に突出するスプリングフィンガを有するリングである、請求項１に記載のコネクタ。
【請求項１７】
把持面は、中実外側導体の波形の谷に対応する曲面を有する、請求項１に記載のコネクタ。
【請求項１８】
グリップリングが略Ｖ形状の断面を有する、請求項１に記載のコネクタ。
【請求項１９】
グリップリングがスプリング接点のケーブル端に当接する、請求項１に記載のコネクタ。
【請求項２０】
クランプリングとコネクタ本体との間をシールするように寸法付けられるクランプリングシールと、
クランプリングと外側導体との間をシールするように寸法付けられる外側導体シールと、
を更に含み、
クランプリングシールおよび外側導体シールは、クランプリングに形成される少なくとも１つの穴を介した一体オーバーモールド体として形成される、請求項８に記載のコネクタ。
【発明の詳細な説明】
【技術分野】
【０００１】
（関連出願の相互参照）
この出願は、現在係属中でそのすべてが参照により本明細書に含まれ、一部継続であるＪｅｆｆｒｅｙ  ＰａｙｎｔｅｒおよびＡｌ  Ｃｏｘによって２００９年１１月２日に出願された「Ｉｎｓｅｔｉｏｎ  Ｃｏｕｐｌｉｎｇ  Ｃｏａｘｉａｌ  Ｃｏｎｎｅｃｔｏｒ」と題される共有の米国実用特許出願第１２／６１１，０９５号の利益を主張するとともに、現在係属中でそのすべてが参照により本明細書に含まれるＪｅｆｆｒｅｙ  ＰａｙｎｔｅｒおよびＡｌ  Ｃｏｘによって２００８年１１月５日に出願された「Ｉｎｓｅｒｔｉｏｎ  Ｃｏｕｐｌｉｎｇ  Ｃｏａｘｉａｌ  Ｃｏｎｎｅｃｔｏｒ」と題される共有の米国実用特許出願第１２／２６４，９３２号の利益を主張する。
【０００２】
この発明は電気ケーブルコネクタに関する。特に、本発明は、コネクタ本体穴内へのケーブル端の挿入によって同軸ケーブルに結合される中実外側導体同軸ケーブルコネクタに関する。
【背景技術】
【０００３】
例えば高レベルの精度および信頼性を必要とする通信システムでは、同軸ケーブルコネクタが使用される。
【０００４】
ケーブルとコネクタとの間で安全な機械的相互接続および最適な電気的相互接続を生み出すためには、同軸ケーブルの外側導体の先端とコネクタ本体との間で略均一な周方向接触を成すことが望ましい。外側導体の口広端（ｆｌａｒｅｄ  ｅｎｄ）が結合ナットを介してコネクタ本体の環状の楔状面に押し付けてクランプされる。この技術の代表的なものは、Harwathに対して１９９８年８月１８日に発行された共有の米国特許第５，７９５，１８８号（特許文献１）である。
【０００５】
米国特許第５，７９５，１８８号の結合ナットと金属体との間の機械螺合結合面、および、同様に構成される従来の同軸コネクタは、製造コスト要件および取り付け時間要件を著しく増大させる。他の欠点は、ケーブル端上にわたって背面体をスライドさせた後に、螺合中にコネクタ本体内にケーブルを保持する精密ケーブル端口広げ作業を行なうコネクタ分解のための要件があることである。また、最終螺合手続きにおいて、および／または、外側導体の口広端部が本体と結合ナットとの間でクランプされる際に外側導体の口広端部の損傷を回避するために付加される、更なるコネクタ要素に対して、外側導体と同軸ケーブルとの間で安全な電気的接続を形成するように、注意を払わなければならない。
【０００６】
同軸ケーブルの外側導体とコネクタとの間の電気機械的な相互接続を確保するために把持要素および／または支持要素を利用して、それら要素の周囲でコネクタ本体が径方向に圧着され（又は、ひだを付けられ、ｃｒｉｍｐｅｄ）および／または軸方向に圧縮されるという、別の同軸コネクタ解決策も当分野において知られている。圧着および／または圧縮接続は、それぞれの場合において、取付具によって加えられる特定の力レベルに応じて品質を変化させることを条件とする。非中実（ｎｏｎ−ｓｏｌｉｄ）の外側導体同軸ケーブルのためのコネクタに良く見られる、外側導体の内径の内側に挿入される外側導体の潰れを防止するために加えられる支持面は、電気的性能を低下させるインピーダンスの不連続性（ｅｌｅｃｔｒｉｃａｌ  ｐｅｒｆｏｒｍａｎｃｅ  ｄｅｇｒａｄｉｎｇ  ｉｍｐｅｄａｎｃｅ  ｄｉｓｃｏｎｔｉｎｕｉｔｙ）を信号経路にもたらす。また、圧着および／または圧縮は、大径の同軸ケーブルを用いると非実用的になる。これは、対応するコネクタ／背面体の直径、側壁厚、および／または、所要行程の増大によって、必要とされる力を、従来の圧着／圧縮のハンドツールによって供給できるレベルを超えて増大させるからである。
【０００７】
同軸ケーブルコネクタ市場における競争は、電気的性能の向上と、材料コスト、取り付け要員のための訓練要件、専用の取り付け工具の減少、および、必要とされる取り付けステップおよび／または工程の総数の減少を含む全体のコストの最小化とに焦点を絞ってきた。
【先行技術文献】
【特許文献】
【０００８】
【特許文献１】米国特許第５，７９５，１８８号
【発明の概要】
【発明が解決しようとする課題】
【０００９】
したがって、本発明の目的は、従来技術の欠陥を克服する結合ナットを提供することである。
【課題を解決するための手段】
【００１０】
この明細書に組み入れられてこの明細書の一部を構成する添付図面は、本発明の実施形態を示している。この場合、図中の同様の参照符号は、同じ特徴または要素を示しており、それらが現れる全ての図面において詳しく説明されない場合がある。また、添付図面は、先に与えられた本発明の説明および以下に与えられる実施形態の説明と共に、本発明の原理を説明するのに役立つ。
【図面の簡単な説明】
【００１１】
【図１】同軸コネクタの第１の典型的な実施形態の概略斜視後面図である。
【図２】同軸ケーブルの一部が取り付けられた状態の図１の同軸コネクタの概略側断面図である。
【図３】図２の領域Ａの拡大図である。
【図４】同軸ケーブルの一部が取り付けられた状態の同軸コネクタの第１の別の実施形態の概略断面図である。
【図５】図４の領域Ｂの拡大図である。
【図６】同軸ケーブルの一部が取り付けられた状態の第２の別の実施形態の同軸コネクタの概略断面図である。
【図７】図６の領域Ｃの拡大図である。
【図８】図６の領域Ｄの拡大図である。
【図９】図６のクランプリングの概略斜視図である。
【図１０】同軸ケーブルの一部が取り付けられた状態の第３の別の実施形態の同軸コネクタの概略断面図である。
【図１１】図１０の領域Ｅの拡大図である。
【図１２】スプリング接点（ｓｐｒｉｎｇ  ｃｏｎｔａｃｔ）の概略斜視図である。
【図１３】中実断面および環状突起（ａｎｎｕｌａｒ  ｂａｒｂｓ）を有するグリップリングの概略斜視図である。
【図１４】水平Ｖ断面を有するグリップリングの概略斜視図である。
【図１５】中実断面および螺旋状突起を有するグリップリングの概略斜視図である。
【図１６】図１５のグリップリングの概略コネクタ端側面図である。
【図１７】図１６のＢ−Ｂ線に沿う拡大断面図である。
【図１８】第４の別の実施形態の同軸コネクタの概略断面図である。
【図１９】図１８の概略断面図である。
【図２０】図１９の領域Ｆの拡大図である。
【図２１】第５の別の実施形態の同軸コネクタの概略断面図である。
【図２２】図２１の領域Ｂの拡大図である。
【図２３】第５の別の実施形態のクランプリングの概略斜視コネクタ端面図である。
【図２４】第６の別の実施形態の同軸コネクタの概略断面図である。
【発明を実施するための形態】
【００１２】
発明者は、利用可能な中実外側導体同軸コネクタを分析するとともに、ネジ込み本体間接続、手動押し広げ取り付け手法、および、圧着／圧縮同軸コネクタ構造の欠点を認識した。
【００１３】
図１〜３における第１の典型的な実施形態に示されるように、本発明に係る同軸コネクタ１は、コネクタ本体穴５を伴うコネクタ本体３を有する。コネクタ本体穴５内に配置される絶縁体７は、内側接点９をコネクタ本体穴５と同軸に支持する。同軸コネクタ１は、グリップリング１９の内径に配置される把持面１７を介して、コネクタ本体穴５のケーブル端１５内に挿入される同軸ケーブル１３の外側導体１１を機械的に保持する。コネクタ本体穴５内に配置されるスプリング接点２１は、外側導体１１と周方向接触し、それにより、コネクタ本体３を横切る外側導体１１をコネクタ端２５にあるコネクタインタフェース２３に対して電気的に結合する。
【００１４】
コネクタインタフェース２３は、任意の望ましい標準的な或いは専用のインタフェースであってもよい。
【００１５】
当業者であれば分かるように、ケーブル端１５およびコネクタ端２５は、本明細書中では、長手方向位置と同軸コネクタ１の様々な要素間の接触相互関係とを明確にするために使用される記述子である。同軸コネクタ１の長手方向軸に沿って隣接する要素に関する特定された位置に加えて、それぞれの個々の要素は、ケーブル端１５側およびコネクタ端２５側、すなわち、同軸コネクタ１のそれぞれのケーブル端１５およびコネクタ端２５に面するそれぞれの要素の側を有する。
【００１６】
同軸ケーブル１３の外径に対してコネクタ本体３を更に安定させるため、例えば図２４に示されるように、コネクタ本体３のケーブル端１５近傍にジャケットグリップ７１が適用されてもよい。ジャケットグリップ７１には、外側導体１１がコネクタ端２５へ向けて移動するときにジャケットグリップ７１を過ぎてスライドできるようにしつつケーブル端１５へ向かう引張時にジャケット５７の外径表面と係合してこれを把持する方向性バイアス（ｄｉｒｅｃｔｉｏｎａｌ  ｂｉａｓ）が設けられてもよい。ジャケットグリップ７１の把持面１７は、複数の環状もしくは螺旋状の溝または突起（ｂａｒｂｓ）として形成されてもよい。
【００１７】
螺旋状の溝または突起として形成される場合には、ジャケットグリップ７１がジャケット５７に螺合されるにつれて、外側導体１１をスプリング接点２１の下側でこれを通り過ぎて徐々に移動させて、組み立てへの助力を供給しながら、ジャケットグリップ７１がジャケット５７に螺合されてもよい。また、螺合は、コネクタ１による同軸ケーブル１３の保持も助ける。
【００１８】
グリップリング１９は、コネクタ本体穴５内に保持されてもよく、例えばグリップリング溝２７内に配置されてもよい。グリップリング１９（および、存在する場合には、本明細書中で以下に説明する更なる要素）の取り付けを容易にするため、および／または、外側導体１１に対するグリップリング１９のグリップ特性を高めるため、グリップリング溝２７は、例えば図４および図５に示されるようにグリップリング溝２７のケーブル端の側壁および／または底部がコネクタ本体３に結合されるクランプナット３１の表面であるように形成されてもよい。
【００１９】
クランプリング３１は、存在する場合には、例えば図５に最も良く示されるように、ケーブル端１５に近い方のコネクタ本体穴５の側壁の１つ以上の環状スナップ溝３３とクランプリング３１の外径に設けられる対応するスナップ突起（ｓｎａｐ  ｂａｒｂ（ｓ））３５との間のインターロックなど、保持形態部２９によってコネクタ本体３に結合されてもよい。
【００２０】
保持形態部２９に代わる手段として、コネクタ本体穴５とクランプリング３１の外径との間にクランプリングネジ山３７が設けられてもよい。同軸コネクタ１をいつでも取り付けて組み立てることができる状態で供給できるようにするため、クランプリングネジ山３７がスナップ溝３３とスナップ３５との相互接続と組み合わされて、クランプリング３１がコネクタ本体３に既に取り付けられた状態で供給され得るアセンブリが設けられ、それにより、例えば図６〜９、１９〜２０に示されるように内部要素の分解および／または損失が防止されてもよい。保持形態部２９がクランプリングネジ山３７をスナップ溝３３およびスナップ突起３５と組み合わせる場合、クランプリングネジ山３７に沿うねじ込みによるコネクタ本体３に対するクランプリング３１の長手方向移動は、スナップ突起３５がスナップ溝３３の側壁と干渉する前に移動し得るスナップ溝３３内の幅によって制限される。
【００２１】
図２０に最も良く示されるように、保持形態部２９は、コネクタ本体３とクランプリング３１との相互の最終螺合中に係合するように配置される、コネクタ本体３とクランプリング３１との間の締まり嵌め（ｉｎｔｅｒｆｅｒｅｎｃｅ  ｆｉｔ）６７を含んでもよい。締まり嵌め６７は、クランプリング３１がコネクタ３内にねじ込まれるとクランプリング３１の螺合解除／緩みに抵抗するように働く。
【００２２】
図３、５、７、１１、２０に最も良く見られるように、グリップリング溝２７内の環状の楔状面３９は、コネクタ端２５側の最大直径とケーブル端１５側の最小直径との間にテーパを有する。グリップリング１９の外径は、楔状面３９と接触し、それにより、ケーブル端１５へと向けて楔状面３９に沿って通過することにより径方向内側に推し進められる。
【００２３】
グリップリング１９の外径と楔状面３９との間の接触は、そこに沿った滑らかな移動を促すように丸みを帯びていてもよいグリップリング１９の角部に沿ってもよく、あるいは、グリップリング１９には、グリップリング１９の外径形状を楔状面３９のテーパと平行になるように角度付けることによりグリップリング１９と楔状面３９との間で延びる接触領域が形成されてもよい。
【００２４】
スプリング接点２１は、コネクタ本体穴５の側壁の別個のスプリング溝４１内に配置され、またはグリップリング溝２７のコネクタ端２５側に配置される、例えば図１０、１１に示されるような螺旋コイルスプリングなどのバネ特性を有する任意の導電構造体であってもよい。スプリング接点２１がグリップリング溝２７内にある場合、スプリング接点２１とグリップリング１９および／または外側導体シール４５との間にスペーサ４３が適用されてもよい。スペーサ４３は、コネクタ本体３に直接に当接されてもよく、あるいは、楔状面３９に当接するように構成されてもよい。あるいは、スプリング接点２１は、クランプリング３１によってコネクタ本体３と電気的に接触した状態に保持される例えば図２１および図２２に示されるような複数のスプリングフィンガを有するスタンピング加工（ｓｔａｍｐｅｄ）された金属スプリングリングであってもよい。
【００２５】
例えば図２１〜２３に示されるように、クランプリング３１には、スペーサ４３によるのではなくおよび／または外側導体シール４５によって供給される付勢力（ｂｉａｓ）ではなく、コネクタ端２５に近接する付勢タブ６９（ｂｉａｓ  ｔａｂ（ｓ））が形成されてもよい。付勢タブ６９は、クランプリング３１の内径から内側に突出して、ケーブル端１５へ向けて曲げられる。付勢タブ６９は、グリップリング溝２７内に突出してグリップリング１９をケーブル端１５へ向けて楔状面３９に抗して付勢し、それにより、グリップリング１９を外側導体１１の外径に抗して径方向内側に付勢するように寸法付けられる。付勢タブ６９は偏向特性（ｄｅｆｌｅｃｔｉｏｎ  ｃｈａｒａｃｔｅｒｉｓｔｉｃ）を有しており、それにより、同軸ケーブル１３の最初の挿入中に、外側導体１１の先端によって押圧されるグリップリング１９が必要に応じて付勢タブ６９を偏向させ、これにより、ケーブル端２５へ向かう定常状態付勢をグリップリング１９に再び作用させ始める前に、グリップリング１９が広がって外側導体１１の外径上に嵌合するべくコネクタ端１５へ向けて移動できるようにしてもよい。
【００２６】
例えば射出成形による高分子材料の製造を容易にするため、付勢タブ６９が円弧部分として形成され、それにより、回転および引き込みによって、コネクタ端１５へと向かう付勢タブ６９の角度付けにより形成される張り出し縁部の金型分離を行なえるようにしてもよい。
【００２７】
グリップリング１９は、把持面１７が外側導体１１の外径と強固に係合して該外径を把持できるようにするため、外側導体１１の材料よりも大きい硬度特性を有するステンレス鋼またはベリリウム銅合金などの材料から形成されるのが好ましい。グリップリング１９の把持面１７は、外側導体１１がコネクタ端２５へ向けて移動するときに把持面１７を過ぎてスライドできるようにしつつケーブル端１５へ向かう引張時に外側導体１１の外径表面と係合してこれを把持する方向性バイアス（ｄｉｒｅｃｔｉｏｎａｌ  ｂｉａｓ）を有する。把持面１７は、ケーブル端１５の溝底部から各溝および／または突起４７のコネクタ端２５の溝上端へと延びる傾斜面４９を備える複数の環状（図１３〜１４）もしくは螺旋状（図２１〜２３）の溝または突起４７として形成されてもよい。傾斜面４９と反対側のストッパ面５１は、同軸コネクタ１の長手方向軸に対して垂直な面であってもよく、および／または、ストッパ面５１は、ケーブル端１５へと向かうコネクタ本体穴５から抜け出る方向での移動が試みられるときに尖端突起を成して外側導体１１に食い込んでこれを保持するようにコネクタ端２５へ向けて曲げられてもよい。
【００２８】
グリップリング１９はグリップリング溝２７内に長手方向移動範囲を有する。グリップリング１９がコネクタ端２５へ向けて楔状面３９に沿って移動すると、例えば、外側導体１１の先端がケーブル端１５からコネクタ本体穴５内に挿入されて把持面１７の傾斜面４９と接触すると、グリップリング１９が広がることにより外側導体１１が通過することができ、あるいは、グリップリング１９がグリップリング溝２７内でコネクタ端２５へ向けて長手方向に移動し始める。楔状面３９のテーパにより、グリップリング１９がコネクタ端２５へ向けて移動すると、グリップリング１９に対するグリップリング溝２７の深さが増大する。それにより、グリップリング１９が径方向外側に広がることができ、その結果、外側導体１１がグリップリング１９を通じてコネクタ端２５へ向けて通過できる。逆に、広げられると直ぐに、グリップリング１９の弛緩状態（ｒｅｌａｘｅｄ  ｓｔａｔｅ）へ向かう内側への付勢が、把持面１７と外側導体１１の外径表面との間の把持係合をもたらす。外側導体１１をケーブル端１５へ向けて引っ張るためにコネクタ本体３と同軸ケーブル１３との間に張力が加えられる場合には、グリップリング１９がテーパ状の楔状面３９に押し付けられ、それにより、グリップリング溝２７の深さが徐々に減少し、その結果、グリップリング１９が径方向内側に推し進められ、把持面１７が外側導体１１の外径表面内に押し込まれるにつれて把持係合が更に増大される。ケーブル端１５のグリップリング溝２７の側壁は所定の位置となるように寸法付けられてもよく、その位置では、把持面１７が外側導体１１と強固に係合するが、外側導体１１を径方向内側に潰してしまうようなグリップリング１９の径方向内側の移動を来たさないように、外側導体１１の直径に対するグリップリング１９の直径が設定される。
【００２９】
クランプリングネジ山３７を含む保持形態部２９およびランプリング３１を伴う実施形態におけるケーブル組み付け中、クランプリング３１をコネクタ本体３内にネジ込むことにより得られる限られた長手方向移動は、楔状面３９をグリップリング１９に押し付けることにより、コネクタ本体３と同軸ケーブル１３との間に張力を印加する必要なく、グリップリング１９を径方向内側に移動させて外側導体１１と確実に把持係合させるようになっている。また、グリップリング溝２７内にスプリング接点２１も存在する実施形態において、コネクタ本体穴５内へのクランプリング３１の螺合は、スプリング接点２１に対して圧力を直接におよび／または存在する場合にはスペーサ４３を介して印加するようになっていてもよく、それにより、スプリング接点２１が外側導体１１へ向けて径方向内側に変形し、その結果、スプリング接点２１と外側導体１１との間の接触圧が増大し、そのため、これらの間の電気的結合が向上される。
【００３０】
外側導体シール４５が存在する場合にはその弾性特性は、取り付け容易性および最終的なシール特性に影響を及ぼす場合がある。例えば、外側導体シール４５が例えば図５に示されるようにグリップリング１９のコネクタ端２５側に設けられる場合には、外側導体１１の通過によってグリップリング１９がコネクタ端２５へ向けて外側導体シール４５へと付勢されるにつれて、外側導体が圧縮される。外側導体１１の通過が完了すると、付勢タブ６９に関して本明細書中で説明したように、圧縮された外側導体シールは、グリップリング１９をケーブル端１５に向けて楔状面３９へと付勢し、したがって、グリップリング１９を径方向内側に付勢して外側導体１１と把持係合させる。例えば図７に示されるように外側導体シール４５がグリップリング１９のケーブル端１５側に設けられる場合、外側導体シール４５は、グリップリング１９がケーブル端１５へ向けて移動するときにグリップリング１９によって圧縮され、それにより、外側導体１１とグリップリング溝２７との間のシールが高められる。
【００３１】
同軸コネクタ１のケーブル端１５に近いジャケット溝５５内にジャケットシール５３が設けられてもよい。ジャケットシール５３は、コネクタ本体穴５、または、存在する場合にはクランプリング３１とジャケット５７との間をシールするように寸法付けられる。クランプリング３１が存在する場合には、クランプリング３１とコネクタ本体３との間をシールするために、クランプリング溝６１内に配置される更なるクランプリングシール５９が設けられてもよい。
【００３２】
グリップリング１９は、中実断面を有する例えば図１２、１７に示されるｃ形状リングとして形成されてもよい。あるいは、グリップリング１９は、例えば図１３に示されるように水平なＶおよび／またはＵ形状断面を成して形成されてもよい。この実施形態において、グリップリング１９は、楔状面３９に対するグリップリング１９の長手方向位置にしたがったグリップリング１９の径方向内側への移動間での直接的な機械的結合ではなく、把持面１７を付勢して外側導体１１の外径表面と係合させるスプリング特性を有する。
【００３３】
把持面１７は、特定の中実外側導体１１の特徴に適合する形状、例えば図９に示されるように環状波形中実外側導体同軸ケーブル１３の波形の谷と嵌まり合うように寸法付けられる凹状湾曲形状を備えていてもよい。同様に、湾曲形状は、波形の山を抱える（ｃｒａｄｌｅ）ように寸法付けられる凸状形態であってもよい。
【００３４】
当業者であれば、本発明の重大な製造利点および取り付け利点を理解できる。製造中、いつでも取り付けられる状態の完備した同軸コネクタ１のアセンブリが、必要とされる最小数の要素を用いて形成される。クランプリング３１が構造中に含められる場合には、スプリング接点２１、スペーサ４３、グリップリング１９、および／または、外側導体シール４５の取り付けが、グリップリング溝２７へのアクセスの向上によって簡略化され、その後、グリップリング溝２７は、望ましいサブ要素がコネクタ本体穴５および／またはクランプリング３１の開放端内に配置された後にクランプリング３１を所定位置にスナップ係合／螺合することにより容易に閉じることができる。また、様々な周辺シール（外側導体シール４５、ジャケットシール５３、および／または、クランプリングシール５９）をそれぞれ各溝にオーバーモールド（ｏｖｅｒｍｏｌｄｅｄ）して、単一のアセンブリに一体の周辺シールを設けてもよい。クランプリング３１の外径から内径まで穴６２が形成され、それにより、外側導体シール４５およびクランプリングシール５９が図２０に最も良く示される一体相互支持ガスケットとしてオーバーモールドできるようにしてもよい。穴６２を通じたオーバーモールドによって設けられる外側導体シール４５の更なる保持は、ワイパ延在部６５を有する外側導体シール４５の形態も可能にする。ワイパ延在部６５により、外側導体シール４５は、滑らかで波形状の外側導体シール同軸ケーブル１３を更に確実にシールできる。コネクタ本体３内へのクランプリング３１の手動螺合中にグリップ取り付けを向上させるために、例えば図１８および図１９に示されるクランプリンググリップ６３の形態を成して更なるオーバーモールド（ｏｖｅｒｍｏｌｄｉｎｇ）がクランプリング３１の外径に適用されてもよい。
【００３５】
同軸コネクタ１を同軸ケーブル１３上に取り付けるため、同軸ケーブル端が剥ぎ取られて所望の長さの導体が露出され、剥ぎ取られた同軸ケーブル端がコネクタ本体穴５のケーブル端１５内に底部に達するまで挿入される。クランプリング３１が存在する場合には、その後、クランプリング３１は、クランプリングネジ山３７を含んでいれば、コネクタ本体３へ向けて螺合され、また、グリップリング１９と外側導体１１との間の強固な係合を検証するために、コネクタ本体３と同軸ケーブル１３との間に試験張力が加えられる。
【００３６】
ネジ込みクランプリング３１を伴う同軸コネクタ１の実施形態は、相互接続検査および／または再使用のため、コネクタ本体３から離れるようにクランプリング３１の螺合を解除し、それにより、楔状面３９がクランプリング３１と共にケーブル端１５へ向けて移動する際にグリップリング１３が外側に移動して外側導体１１との係合を解除できるようにすることによって、同軸ケーブル１３から取り外されてもよい。グリップリング１３の係合が解除されると、同軸ケーブル１３をコネクタ本体穴５から引き抜くことができる。
【００３７】
取り付け中、従来の手動ケーブル端口広げ作業、および、同軸ケーブル端の周囲の様々なコネクタ要素の任意の必要とされる分解／再組み付けが排除された。
【００３８】
前述の説明において、既知の等価物を有する材料、比率、整数、または、構成要素について言及する場合、そのような等価物は、あたかも個別に示されているように本明細書に組み入れられる。
【００３９】
本発明の実施形態の記述によって本発明を説明するとともに、該実施形態をかなり詳しく説明してきたが、添付の特許請求の範囲をそのような詳細な内容に限定することまたは多少なりとも制限することは出願人の意図するところではない。更なる利点および変更は当業者に容易に明らかである。したがって、本発明は、その広範な態様において、図示されて説明される特定の詳細な内容、それぞれの装置、方法、および、例示に制限されない。そのため、出願人の一般的な発明概念の思想または範囲から逸脱することなく、そのような詳細な内容から逸脱されてもよい。更に、以下の特許請求の範囲によって規定される本発明の範囲または思想から逸脱することなく、改良および／または変更が成されてもよいことは言うまでもない。
【００４０】
１  同軸コネクタ（ｃｏａｘｉａｌ  ｃｏｎｎｅｃｔｏｒ）
３  コネクタ本体（ｃｏｎｎｅｃｔｏｒ  ｂｏｄｙ）
５  コネクタ本体穴（ｃｏｎｎｅｃｔｏｒ  ｂｏｄｙ  ｂｏｒｅ）
７  絶縁体（ｉｎｓｕｌａｔｏｒ）
９  内側接点（ｉｎｎｅｒ  ｃｏｎｔａｃｔ）
１１  外側導体（ｏｕｔｅｒ  ｃｏｎｄｕｃｔｏｒ）
１３  同軸ケーブル（ｃｏａｘｉａｌ  ｃａｂｌｅ）
１５  ケーブル端（ｃａｂｌｅ  ｅｎｄ）
１７  把持面（ｇｒｉｐ  ｓｕｒｆａｃｅ）
１９  グリップリング（ｇｒｉｐ  ｒｉｎｇ）
２１  スプリング接点（ｓｐｒｉｎｇ  ｃｏｎｔａｃｔ）
２２  スプリングフィンガ（ｓｐｒｉｎｇ  ｆｉｎｇｅｒ）
２３  コネクタインタフェース（ｃｏｎｎｅｃｔｏｒ  ｉｎｔｅｒｆａｃｅ）
２５  コネクタ端（ｃｏｎｎｅｃｔｏｒ  ｅｎｄ）
２７  グリップリング溝（ｇｒｉｐ  ｒｉｎｇ  ｇｒｏｏｖｅ）
２９  保持形態部（ｒｅｔａｉｎｉｎｇ  ｆｅａｔｕｒｅ）
３１  クランプリング（ｃｌａｍｐ  ｒｉｎｇ）
３３  スナップ溝（ｓｎａｐ  ｇｒｏｏｖｅ）
３５  スナップ突起（ｓｎａｐ  ｂａｒｂ）
３７  クランプリングネジ山（ｃｌａｍｐ  ｒｉｎｇ  ｔｈｒｅａｄｓ）
３９  楔状面（ｗｅｄｇｅ  ｓｕｒｆａｃｅ）
４１  スプリング溝（ｓｐｒｉｎｇ  ｇｒｏｏｖｅ）
４３  スペーサ（ｓｐａｃｅｒ）
４５  外側導体シール（ｏｕｔｅｒ  ｃｏｎｄｕｃｔｏｒ  ｓｅａｌ）
４７  突起（ｂａｒｂ）
４９  傾斜面（ａｎｇｌｅｄ  ｆａｃｅ）
５１  ストッパ面（ｓｔｏｐ  ｆａｃｅ）
５３  ジャケットシール（ｊａｃｋｅｔ  ｓｅａｌ）
５５  ジャケット溝（ｊａｃｋｅｔ  ｇｒｏｏｖｅ）
５７  ジャケット（ｊａｃｋｅｔ）
５９  クランプリングシール（ｃｌａｍｐ  ｒｉｎｇ  ｓｅａｌ）
６１  クランプリング溝（ｃｌａｍｐ  ｒｉｎｇ  ｇｒｏｏｖｅ）
６２  穴（ｈｏｌｅ）
６３  クランプリンググリップ（ｃｌａｍｐ  ｒｉｎｇ  ｇｒｉｐ）
６５  ワイパ延在部（ｗｉｐｅｒ  ｅｘｔｅｎｓｉｏｎ）
６７  締まり嵌め（ｉｎｔｅｒｆｅｒｅｎｃｅ  ｆｉｔ）
６９  付勢タブ（ｂｉａｓ  ｔａｂ）
７１  ジャケットグリップ（ｊａｃｋｅｔ  ｇｒｉｐ）
【図１】
2012508431.tif 000003
【図２】
2012508431.tif 000004
【図３】
2012508431.tif 000005
【図４】
2012508431.tif 000006
【図５】
2012508431.tif 000007
【図６】
2012508431.tif 000008
【図７】
2012508431.tif 000009
【図８】
2012508431.tif 000010
【図９】
2012508431.tif 000011
【図１０】
2012508431.tif 000012
【図１１】
2012508431.tif 000013
【図１２】
2012508431.tif 000014
【図１３】
2012508431.tif 000015
【図１４】
2012508431.tif 000016
【図１５】
2012508431.tif 000017
【図１６】
2012508431.tif 000018
【図１７】
2012508431.tif 000019
【図１８】
2012508431.tif 000020
【図１９】
2012508431.tif 000021
【図２０】
2012508431.tif 000022
【図２１】
2012508431.tif 000023
【図２２】
2012508431.tif 000024
【図２３】
2012508431.tif 000025
【図２４】
2012508431.tif 000026
【国際調査報告】
2012508431.tif 000027
2012508431.tif 000028